(57)【特許請求の範囲】
【請求項１】
外部から導入される水を通す通水管と、
燃焼ガスを燃焼させるバーナと、
前記通水管の途中の位置に設けられ、前記通水管の内部を通る水に対して前記バーナでの燃焼によって生じた熱を伝える熱交換器と、
前記通水管に導入された水の温度を検出する入水温検出部と、
前記通水管を流れる水の量を検出する通水量検出部と、
前記通水管を流れる水の量を調節する通水量調節機構と、
少なくとも設定温度を設定する操作に用いられる第一操作部と、予め定められた複数段階の省エネルギーレベルのうちのいずれかのレベルを設定する操作に少なくとも用いられる第二操作部と、前記複数段階に関連する個数の個別表示領域によってレベル表示領域が構成される表示装置と、を有するリモートコントローラと、
前記通水管を流れる水の量を、前記第二操作部を用いて入力された省エネルギーレベルに対応する号数と、前記第一操作部を用いて入力された前記設定温度と、前記入水温検出部によって検出された水の温度と、に基づいて定まる基準流量以下に制限するように前記通水量調節機構での調節状態を制御し、且つ出湯温度を前記設定温度に近づけるように前記バーナでの燃焼状態を制御する方法で、エネルギー制限制御を行う給湯制御部と、
前記レベル表示領域での表示を、前記第二操作部を用いて入力された省エネルギーレベルに対応する表示とするように前記表示装置を制御する表示制御部と、
を有する給湯装置。
【請求項２】
前記レベル表示領域は、全体として一個のシンボルマークを表示する領域を有し、複数の前記個別表示領域の各々は、前記シンボルマークを区分けした各部分の表示領域とされており、
前記表示制御部は、それぞれの前記個別表示領域において、前記シンボルマークの一部分を構成する図形の表示状態を制御することを特徴とする請求項１に記載の給湯装置。
【請求項３】
複数の前記個別表示領域は、前記表示装置において所定の基準点の周りに周方向に並んで配置され、且つ前記基準点を中心として放射状に配置される構成となっている請求項２に記載の給湯装置。
【請求項４】
各々の前記個別表示領域で表示される図形の前記基準点側の形状は、前記基準点に近づくにつれて幅が狭くなる先細り形状である請求項３に記載の給湯装置。
【請求項５】
前記表示制御部は、前記レベル表示領域での前記シンボルマークの表示状態を、前記複数段階の各省エネルギーレベルに対応する状態に切り替える制御を行うものであり、少なくとも前記給湯制御部によって前記エネルギー制限制御がなされている間は、いずれの省エネルギーレベルに対応する表示状態にする場合でも、前記レベル表示領域において前記シンボルマーク全体の外形を表す外形図形を表示する制御を行う請求項２から請求項４のいずれか一項に記載の給湯装置。
【請求項６】
前記給湯制御部は、
前記第二操作部において所定の指定操作が行われた場合に、予め定められた最大号数の給湯能力で給湯動作を行う通常モードに切り替わり、前記第二操作部において前記複数段階の省エネルギーレベルのうちのいずれかのレベルを設定する操作が行われた場合に、前記通常モードのときよりもエネルギーを制限して前記エネルギー制限制御を行う省エネルギーモードに切り替わる構成であり、
前記省エネルギーモードの期間は、前記通水管での通水が開始されてから所定条件が成立するまでの給湯初期において当該通水管での通水度合いを所定の流量制限状態とし、前記所定条件が成立した後に前記所定の流量制限状態を解除する流量制限制御を行い、
前記通常モードの期間は、前記流量制限制御を行わない構成であり、
前記表示制御部は、前記流量制限制御を行う前記省エネルギーモードの期間は前記シンボルマークの少なくとも一部の表示を行い、前記流量制限制御を行わない前記通常モードの期間は、前記シンボルマークの表示を行わない構成である請求項２から請求項５のいずれか一項に記載の給湯装置。
【請求項７】
前記レベル表示領域は、複数の前記個別表示領域でそれぞれ表示される図形の集合によって所定対象の絵柄が表される領域となっており、前記リモートコントローラの前記第二操作部には、前記所定対象と共通の対象を表した共通図形が付されている請求項１から請求項６のいずれか一項に記載の給湯装置。
【発明の詳細な説明】
【技術分野】
【０００１】
本発明は、給湯装置に関するものである。
【背景技術】
【０００２】
従来から提案されている給湯装置の一つとして、予め定められた多段階の省エネルギーレベルの中からいずれかのレベルを選択できるようにした装置が存在する。例えば特許文献１で開示される給湯装置では、省エネルギーレベルが設定された場合、給湯流量がレベルに応じた割合に制限されるようになっている。この構成では、省エネルギーレベルが設定されると、通常モードと比較して給湯流量が制限され、通水管内を通る水の量が減少するため、水温を上昇させるために必要となるガス量が通常モードよりも抑えられる。このようなガス量の抑制により、一定の省エネルギー効果が得られることになる。
【先行技術文献】
【特許文献】
【０００３】
【特許文献１】特開２００６−１１２６６９号公報
【発明の概要】
【発明が解決しようとする課題】
【０００４】
しかしながら、特許文献１の給湯装置では、「００２３」段落で説明されるように、省エネルギーレベルに応じて通水量を一定割合（例えば、９０％、８０％等）に絞る構成を採っているため、省エネルギー運転をする場合に必ず流量が抑えられてしまうことになる。従って、ある程度の流量が必要とされる場面（食器洗い時等、流量低下が作業性に大きく影響を及ぼす場面）では、使用者が不便に感じる事態が発生しやすくなってしまう。
【０００５】
本発明は、上述した課題を解決するためになされたものであり、要求されるレベルに応じた省エネルギー運転が可能であり、且つ、給湯量の制限が緩和されやすい構成を提供することを目的とするものである。
【課題を解決するための手段】
【０００６】
本発明の給湯装置は、
外部から導入される水を通す通水管と、
燃焼ガスを燃焼させるバーナと、
前記通水管の途中の位置に設けられ、前記通水管の内部を通る水に対して前記バーナでの燃焼によって生じた熱を伝える熱交換器と、
前記通水管に導入された水の温度を検出する入水温検出部と、
前記通水管を流れる水の量を検出する通水量検出部と、
前記通水管を流れる水の量を調節する通水量調節機構と、
少なくとも設定温度を設定する操作に用いられる第一操作部と、予め定められた複数段階の省エネルギーレベルのうちのいずれかのレベルを設定する操作に少なくとも用いられる第二操作部と、前記複数段階に関連する個数の個別表示領域によってレベル表示領域が構成される表示装置と、を有するリモートコントローラと、
前記通水管を流れる水の量を、前記第二操作部を用いて入力された省エネルギーレベルに対応する号数と、前記第一操作部を用いて入力された前記設定温度と、前記入水温検出部によって検出された水の温度と、に基づいて定まる基準流量以下に制限するように前記通水量調節機構での調節状態を制御し、且つ出湯温度を前記設定温度に近づけるように前記バーナでの燃焼状態を制御する方法で、エネルギー制限制御を行う給湯制御部と、
前記レベル表示領域での表示を、前記第二操作部を用いて入力された省エネルギーレベルに対応する表示とするように前記表示装置を制御する表示制御部と、
を有する。
【発明の効果】
【０００７】
本発明は、給湯制御部によってエネルギー制限制御を行うようになっており、このエネルギー制限制御では、通水管を流れる水の量を、第二操作部を用いて入力された省エネルギーレベルに対応する号数と、第一操作部を用いて入力された設定温度と、入水温検出部によって検出された水の温度と、に基づいて定まる基準流量以下に制限するように通水量調節機構での調節状態を制御し、且つ出湯温度を設定温度に近づけるようにバーナでの燃焼状態を制御する。
この構成では、省エネルギーレベルが指定された場合に、装置の給湯能力が、そのレベルに対応付けられた号数に抑えられ、設定された号数の範囲内でしか給湯動作がなされなくなる。ゆえに、常に装置の最大給湯能力が許容され続ける構成と比較すると、省エネルギー効果が得られやすくなる。しかも、省エネルギー運転を行う場合、一律に流量を制限するのではなく、設定された号数の範囲で流量が制限されるため、給湯量の制限が緩和されやすくなる。例えば、入力された設定温度と検出された水温との差が小さい場合には、流量の制限が小さい状態又は制限されない状態が生じやすくなる。
更に本発明は、表示制御部により表示装置を制御し、レベル表示領域での表示を、第二操作部を用いて入力された省エネルギーレベルに対応する表示とするように表示制御を行う。この構成では、省エネルギー運転がなされている最中には、表示装置に構成されるレベル表示領域を見れば、その時点での給湯能力を迅速かつ直感的に把握可能となる。
本発明において、号数とは、給湯装置の外部から導入される水の水温よりも温度が２５℃大きい水（水温＋２５℃の水）が１分間に出る量（リットル）を示す値であり、給湯動作の能力を示す指標である。例えば、出湯量をＸ（Ｌ／分）、号数をＹ、設定温度（給湯温度）をＴａ（℃）、外部から導入される水の水温をＴｗ（℃）、とした場合、これらの関係は、以下の式で定義される。
Ｘ＝Ｙ×２５／（Ｔａ−Ｔｗ）
【図面の簡単な説明】
【０００８】
【図１】図１は、実施例１に係る給湯装置を例示する概略回路図である。
【図２】図２は、実施例１に係る給湯装置を構成するコントローラ及びリモートコントローラを概略的に例示するブロック図である。
【図３】図３は、実施例１に係る給湯装置の第１リモートコントローラにおいてカバーが開いた状態を概略的に示す正面図である。
【図４】図４は、実施例１に係る給湯装置の第２リモートコントローラにおいてカバーが開いた状態を概略的に示す正面図である。
【図５】図５は、各モードでの表示部の表示状態をそれぞれ示す説明図であり、図５（Ａ）は、省エネレベル１のときの表示状態を示す図であり、図５（Ｂ）は、省エネレベル２のときの表示状態を示す図であり、図５（Ｃ）は、省エネレベル３のときの表示状態を示す図であり、図５（Ｄ）は、省エネレベル４のときの表示状態を示す図であり、図５（Ｅ）は、通常モードのときの表示状態を示す図である。
【図６】図６は、レベル表示領域の表示状態を説明する説明図であり、図６（Ａ）は、省エネレベル１のときの表示状態を示す図であり、図６（Ｂ）は、省エネレベル２のときの表示状態を示す図であり、図６（Ｃ）は、省エネレベル３のときの表示状態を示す図であり、図６（Ｄ）は、省エネレベル４のときの表示状態を示す図である。
【発明を実施するための形態】
【０００９】
本発明の望ましい例を以下に示す。
本発明において、前記レベル表示領域は、全体として一個のシンボルマークを表示する領域を有し、複数の前記個別表示領域の各々は、前記シンボルマークを区分けした各部分の表示領域とされていてもよい。そして、前記表示制御部は、それぞれの前記個別表示領域において、前記シンボルマークの一部分を構成する図形の表示状態を制御する構成であってもよい。
この構成によれば、使用者がレベル表示領域の表示状態を見たときに、シンボルマークを構成する各部分の表示状態（即ち、各個別表示領域の表示状態）が、シンボルマークの全体の形状と比較してどのような状態にあるかを迅速に認識しやすくなる。
例えば、特許文献１で開示される給湯装置では、省エネルギーレベルを数値で表示する方法を採用しているため、表示されている数値がどのような意味をなし、どの程度の制限度合いを示すものであるのか（例えば、最も厳しい制限状態と比較して、どの程度の厳しさであるのか等）を直感的に把握しにくいという問題がある。これに対し、上記構成は、シンボルマーク全体の形を基準として比較した形でレベル表示領域に表示されている図形を評価することができる構成であるため、現在の省エネルギーの度合いが相対的にどの程度であるのかを、使用者が直感的に把握しやすくなる。
【００１０】
本発明において、複数の前記個別表示領域は、前記表示装置において所定の基準点の周りに周方向に並んで配置され、且つ前記基準点を中心として放射状に配置される構成であってもよい。
この構成では、複数の個別表示領域が基準点の周りにおいて周方向に並んでいるため、複数の個別表示領域が示す表示度合い（即ち、レベル表示領域が示す表示度合い）がどの程度であるのかを、周方向全周を基準とした形で迅速に且つより正確に認識しやすくなる。しかも、各々の個別表示領域が基準点を中心として放射状に配置されているため、基準点付近に個別表示領域を集中させた形で効率的に表示することができる。
【００１１】
この構成（前記基準点の周りにおいて複数の前記個別表示領域が周方向に並んで配置された構成）では、各々の前記個別表示領域で表示される図形の前記基準点側の形状が、前記基準点に近づくにつれて幅が狭くなる先細り形状であってもよい。このようにすると、複数の個別表示領域を基準点により近づけた形で、且つそれぞれの領域をできるだけ確保した形で集中させやすくなり、複数の個別表示領域をよりコンパクトに表示しやすくなる。
【００１２】
本発明において、前記表示制御部は、前記レベル表示領域での前記シンボルマークの表示状態を、前記複数段階の各省エネルギーレベルに対応する状態に切り替える制御を行うものであってもよい。この場合、少なくとも前記給湯制御部によって前記エネルギー制限制御がなされている間は、いずれの省エネルギーレベルに対応する表示状態にする場合でも、前記レベル表示領域において前記シンボルマーク全体の外形を表す外形図形を表示する制御を行うことが望ましい。
このようにすれば、レベル表示領域の表示状態（即ち、複数の個別表示領域の表示状態）がシンボルマークの完成形状と比較してどの程度になっているのかを、外形図形を基準にしながら正確に判断しやすくなる。
【００１３】
本発明において、前記給湯制御部は、前記第二操作部において所定の指定操作が行われた場合に、予め定められた最大号数の給湯能力で給湯動作を行う通常モードに切り替わり、前記第二操作部において前記複数段階の省エネルギーレベルのうちのいずれかのレベルを設定する操作が行われた場合に、前記通常モードのときよりもエネルギーを制限して前記エネルギー制限制御を行う省エネルギーモードに切り替わる構成であってもよい。更に、前記給湯制御部は、前記省エネルギーモードの期間は、前記通水管での通水が開始されてから所定条件が成立するまでの給湯初期において当該通水管での通水度合いを所定の流量制限状態とし、前記所定条件が成立した後に前記所定の流量制限状態を解除する流量制限制御を行い、前記通常モードの期間は、前記流量制限制御を行わない構成であってもよい。そして、前記表示制御部は、前記流量制限制御を行う前記省エネルギーモードの期間は前記シンボルマークの少なくとも一部の表示を行い、前記流量制限制御を行わない前記通常モードの期間は、前記シンボルマークの表示を行わない構成であってもよい。
この構成では、省エネルギーモードでなされる流量制限の際に、使用者がその事実（即ち、機器によって積極的に流量制限が行われているという事実）を把握しやすくなる。よって、流量が制限されても使用者が不安感を抱きにくくなる。
【００１４】
本発明において、前記レベル表示領域は、複数の前記個別表示領域でそれぞれ表示される図形の集合によって所定対象の絵柄が表される領域となっていてもよく、前記リモートコントローラの前記第二操作部には、前記所定対象と共通の対象を表した共通図形が付されていてもよい。
このように構成されていれば、リモートコントローラの第二操作部に付された共通図形がより頻繁に使用者の目に入りやすくなり、使用者は、シンボルマークの全体像をより正確にイメージしやすくなる。そして、使用者は、レベル表示領域の表示状態（即ち、複数の個別表示領域の表示状態）がシンボルマークの全体像と比較してどの程度になっているのかを、イメージした全体像に基づいて直感的に判断しやすくなる。
【００１５】
＜実施例１＞
以下、発明の一例を示す実施例１について、図面を参照して説明する。
（基本構成）
図１で示す給湯装置１は、浴槽への給湯機能と浴槽内の水の加熱機能とを備えた風呂・給湯システムとして構成され、主として、給湯側回路２と風呂側回路３とを備えている。給湯側回路２は、入水管１２、出湯管１０、ガスバーナ４、熱交換器６（給湯側熱交換器）などを備えており、外部から供給された水道水を加熱し出湯させる経路として機能する。また、風呂側回路３は、ガスバーナ５４（風呂バーナ）、熱交換器５６（風呂側熱交換器）、配管６６、循環ポンプ６２、サーミスタ６４，６５などを備えており、風呂の追い炊き等に利用されるものである。
【００１６】
給湯側回路２において、入水管１２は、水入口１６からの水が流れ込む経路として構成され、出湯管１０は、出湯口１８へ湯を送り出す経路として構成されている。ガスバーナ（給湯バーナ）４は、燃焼ガスを燃焼させて燃焼排気を発生させる部分であり、熱交換器６は、通水管（入水管１２、伝熱管８ａ、配管２０、伝熱管７ａ、出湯管１０によって構成される管路）の途中の位置に設けられ、通水管の内部を通る水に対してガスバーナ４での燃焼によって生じた熱を伝えるように機能する部分である。熱交換器６は、一次熱交換器７及び二次熱交換器８を備えており、一次熱交換器７は、給湯燃焼室９０内においてガスバーナ４の燃焼排気経路の上流側に配置され、二次熱交換器８は、給湯燃焼室９０内において燃焼排気経路の下流側に配置されている。
【００１７】
給湯側回路２では、二次熱交換器８の入口に、水道水を供給する構成で入水管１２が接続されている。そして、この入水管１２には、入水管１２を通る水の温度（即ち、通水管に導入された水の温度）を検出する入水温検出部としてのサーミスタ２５と、入水管１２内の通水量（即ち、通水管を流れる水の量）を検出する通水量検出部としての水量センサ３４とが設けられている。そして、入水管１２の下流側には、二次熱交換器８の伝熱管８ａが接続されており、その下流側には、二次熱交換器８の伝熱管８ａと一次熱交換器７の伝熱管７ａとを連結する配管２０が接続される。更に、この配管２０に連結された構成で一次熱交換器７の伝熱管７ａが接続され、一次熱交換器７の出口には、一次熱交換器７で加熱された湯を出湯する構成で出湯管１０が接続されている。そして、この出湯管１０には、出湯管１０内の水の温度を検出するサーミスタ２６が設けられている。なお、本構成では、入水管１２、伝熱管８ａ、配管２０、伝熱管７ａ、出湯管１０が通水管の一例に相当し、給湯装置１の外部に設けられた図示しない水道から導入された水を通す流路として機能する。
【００１８】
熱交換器６は、一次熱交換器７によって燃焼排気の顕熱を回収した後、二次熱交換器８によって潜熱を回収するように機能する。具体的には、一次熱交換器７は、一次熱交換器７内の通水経路となる伝熱管７ａを備えており、伝熱管７ａ内を通る水に対してガスバーナ４で発生した燃焼排気に含まれる燃焼熱を伝熱し、顕熱の熱エネルギーを通水に伝達する形で熱交換する。また、二次熱交換器８は、二次熱交換器８内の通水経路となる伝熱管８ａを備えており、伝熱管８ａ内を通る水に対し、ガスバーナ４で発生した燃焼排気が一次熱交換器７を通過した後の燃焼熱を伝熱し、潜熱の熱エネルギーを通水に伝達するように熱交換する。
【００１９】
また、入水管１２と出湯管１０との間をバイパスする通水経路として、熱交換器６とは異なる通水経路として構成されたバイパス路１４が設けられている。そして、このバイパス路１４には、バイパス路１４の通水を遮断した閉塞状態と、この閉塞状態よりも開度を増大させた開放状態とに移行可能なバイパス弁３２が設けられている。入水管１２において、バイパス路１４が連結する分岐位置よりも上流側には、通水量制御弁３３が設けられている。この通水量制御弁３３は、コントローラ２２からの指示を受けて駆動軸の回転角度が制御されるモータを備えており、入水管１２を閉塞状態と全開状態との間で様々な開度に連続的に変更できる構成となっている。本構成では、通水量制御弁３３が通水量調節機構の一例に相当し、通水管を流れる水の量を調節するように機能する。
【００２０】
ガスバーナ４へのガスの供給を行うガス管４０には、上流側からガス元電磁弁４２、給湯ガス比例制御弁４４、各ガスバーナ４への分岐管ごとの給湯切替電磁弁４６，４６・・が夫々設けられている。また、給湯燃焼室９０の下方には、燃焼用空気を各ガスバーナ４（給湯バーナ）及びガスバーナ５４（風呂バーナ）へ供給するファン４８が設けられている。また、ガスバーナ５４（風呂バーナ）に接続されるガス管からの分岐管には、切替電磁弁５３が設けられている。
【００２１】
風呂側回路３において、配管６６は、浴槽６０側からの水を熱交換器５６側へと導くための往き配管６８と、熱交換器５６側からの水を浴槽６０側へと導くための戻り配管６７と、往き配管６８と戻り配管６７とに連結されて熱交換器５６内を通る中間配管６９とを備える。この配管６６は、例えば追い炊き動作時に浴槽６０から引き込まれる水を往き配管６８によって熱交換器５６に導き、この熱交換器５６を通過した水を戻り配管６７によって浴槽６０に導くように循環させる循環経路として機能する。熱交換器５６は、風呂一次熱交換器５７と風呂二次熱交換器５８とを備え、配管６６を通る水に対してガスバーナ５４（風呂バーナ）での燃焼によって生じた燃焼熱を伝達するように、循環水を加熱する構成となっている。往き配管６８は、浴槽６０と風呂一次熱交換器５７との間に配置されており、この往き配管６８には、往き配管６８を通る水の温度を検出するサーミスタ６５（風呂サーミスタ）が設けられている。
【００２２】
戻り配管６７は、風呂二次熱交換器５８と浴槽６０との間に配置され、この戻り配管６７には、循環ポンプ６２とサーミスタ６４（風呂サーミスタ）とが設けられている。循環ポンプ６２は、配管６６内の水を流動させる装置であり、熱交換器５６側から水を引き込み、引き込んだ水を熱交換器５６とは反対側から浴槽６０に向けて排出するように機能する。また、戻り配管６７には、出湯管１０から分岐された落とし込み管７０が接続されており、この落とし込み管７０には、給湯用電磁弁７２及び落とし込み水量センサ７４が設けられている。そして、落とし込み管７０に設けられた給湯用電磁弁７２を開弁させることで、給湯側回路２で加熱された湯を浴槽６０へ供給することが可能となっている。
【００２３】
また、給湯装置１には、図１、図２で示すように制御装置としてのコントローラ２２が設けられている。図２で示すように、コントローラ２２には、例えば、公知のマイクロコンピュータ等として構成される制御部２２Ａと、公知の半導体メモリ等として構成されるメモリ２２Ｂと、外部との通信を行うためのインタフェースとして構成される通信部２２Ｃとが設けられている。このコントローラ２２は、給湯側回路２や風呂側回路３に設けられた様々なセンサからの信号を取得可能に構成されており、給湯側回路２や風呂側回路３に設けられた様々なアクチュエータを制御し得る構成となっている。
【００２４】
図２のように、コントローラ２２には、複数のリモートコントローラ８０がコントローラ２２と通信し得る構成で接続されている。図１、図２の例では、複数のリモートコントローラ８０として、浴室内に設けられる第１リモートコントローラ８１と、浴室とは異なる場所（例えば台所等）に設けられる第２リモートコントローラ８２とが設けられている。図２のように、第１リモートコントローラ８１は、公知のマイクロコンピュータ等として構成される制御部８１Ａと、液晶表示装置等として構成される表示部８１Ｂと、押圧ボタン等の公知のスイッチが複数設けられてなる操作部８１Ｃと、リモートコントローラ８１で生成された信号等をコントローラ２２に伝達するための通信部８１Ｄとを備えている。この第１リモートコントローラ８１の外観は、例えば図３のようになっている。図２のように、第２リモートコントローラ８２は、公知のマイクロコンピュータ等として構成される制御部８２Ａと、液晶表示装置等として構成される表示部８２Ｂと、押圧ボタン等の公知のスイッチが複数設けられてなる操作部８２Ｃと、リモートコントローラ８２で生成された信号等をコントローラ２２に伝達するための通信部８２Ｄとを備えている。この第２リモートコントローラ８２の外観は、例えば図４のようになっている。
【００２５】
第１リモートコントローラ８１と第２リモートコントローラ８２は、オンオフ状態が連動するようになっている。例えば、第１リモートコントローラ８１及び第２リモートコントローラ８２のいずれもが運転オフ状態のときに第１リモートコントローラ８１の運転切替ボタン９１Ａ又は第２リモートコントローラ８２の運転切替ボタン９２Ａが押されたときには、第１リモートコントローラ８１及び第２リモートコントローラ８２がいずれも運転オン状態に切り替わる。また、第１リモートコントローラ８１及び第２リモートコントローラ８２がいずれも運転オン状態のときに運転切替ボタン９１Ａ又は運転切替ボタン９２Ａが押されたときには、第１リモートコントローラ８１及び第２リモートコントローラ８２がいずれも運転オフ状態に切り替わる。第１リモートコントローラ８１及び第２リモートコントローラ８２のいずれかが運転オン状態のときには、コントローラ２２は、ガスバーナ４を動作させ得るように機能し、通水センサ（水量センサ３４）による通水検知時にガスバーナ４を動作させて湯を生成する。一方、第１リモートコントローラ８１及び第２リモートコントローラ８２がいずれも運転オフ状態のときには、コントローラ２２は、ガスバーナ４を動作させず、入水管１２の通水時でも、非通水時でも、湯の生成がなされないようになっている。
【００２６】
（給湯温度の設定）
本構成では、図３で示す第１リモートコントローラ８１でも、図４で示す第２リモートコントローラ８２でも、給湯温度を設定することができるようになっている。図３の第１リモートコントローラ８１では、操作部８１Ｃに対する操作によって運転モードと設定モードとが切り替わるようになっている。例えば、運転モードのときに、メニューボタン９１Ｕが押された場合に設定モードに切り替わり、この設定モードのときに所定操作（例えばメニューボタン９１Ｕを所定回数押す操作）が行われた場合に、設定モードにおける所定の詳細モード（給湯温度切替設定モード）に切り替わるようになっている。この給湯温度切替設定モードのときには、増大指示ボタン９１Ｘが押される度に、給湯温度表示領域１２０に表示される温度が１度ずつ大きくなるように表示変更がなされ、減少指示ボタン９１Ｙが押される度に、給湯温度表示領域１２０に表示される温度が１度ずつ小さくなるように表示変更がなされる。そして、給湯温度切替設定モードのときに確定ボタン９１Ｗが押された場合には、その押されたときに給湯温度表示領域１２０に表示される温度に給湯温度が設定され、コントローラ２２のメモリ２２Ｂ（図２）には、その設定された給湯温度の情報が記憶されることになる。なお、このように第１リモートコントローラ８１によって給湯温度が変更された場合、第２リモートコントローラ８２にも新たに設定された給湯温度の情報が送信され、図４で示す第２リモートコントローラ８２の給湯温度表示領域１３０には、設定された給湯温度が表示されることになる。
【００２７】
図４で示す第２リモートコントローラ８２でも、操作部８２Ｃに対する操作によって運転モードと設定モードとが切り替わるようになっている。例えば、運転モードのときに、メニューボタン９２Ｕが押された場合に設定モードに切り替わり、この設定モードのときに所定操作（例えばメニューボタン９２Ｕを所定回数押す操作）が行われた場合に、設定モードにおける給湯温度切替設定モードに切り替わるようになっている。この給湯温度切替設定モードのときには、増大指示ボタン９２Ｘが押される度に、給湯温度表示領域１３０に表示される温度が１度ずつ大きくなるように表示変更がなされ、減少指示ボタン９２Ｙが押される度に、給湯温度表示領域１３０に表示される温度が１度ずつ小さくなるように表示変更がなされる。そして、給湯温度切替設定モードのときに確定ボタン９２Ｗが押された場合には、給湯温度がその押されたときに給湯温度表示領域１３０に表示される温度に設定され、コントローラ２２のメモリ２２Ｂ（図２）には、設定された給湯温度の情報が記憶されることになる。なお、このように第２リモートコントローラ８２によって給湯温度が変更された場合、第１リモートコントローラ８１にも新たに設定された給湯温度の情報が送信され、第１リモートコントローラ８１の給湯温度表示領域１２０には、設定された給湯温度が表示されることになる。
【００２８】
なお、本構成では、第１リモートコントローラ８１のメニューボタン９１Ｕ、増大指示ボタン９１Ｘ、減少指示ボタン９１Ｙ、確定ボタン９１Ｗと、第２リモートコントローラ８２のメニューボタン９２Ｕ、増大指示ボタン９２Ｘ、減少指示ボタン９２Ｙ、確定ボタン９２Ｗが、第一操作部の一例に相当する。
【００２９】
（省エネルギーレベル切替制御）
次に、省エネルギーレベル切替制御について説明する。
本構成では、図３で示す第１リモートコントローラ８１のエコボタン９１Ｚ又は図４で示す第２リモートコントローラ８２のエコボタン９２Ｚを押すことによって省エネルギーレベルを切り替えることができるようになっている。なお、エコボタン９１Ｚ及びエコボタン９２Ｚは、第二操作部の一例に相当し、予め定められた複数段階の省エネルギーレベルのうちのいずれかのレベルを設定する操作に少なくとも用いられるものである。
【００３０】
例えば、給湯装置１が設置場所で最初に動作する際の初期設定では、通常モードに設定されており、この通常モードのときには、図２で示すコントローラ２２のメモリ２２Ｂに、モード設定情報として、通常モードを示すモード情報が記憶される。そして、エコボタン（エコボタン９１Ｚ（図３）又はエコボタン９２Ｚ（図４）のいずれか）が押される毎に、「通常モード」から、「省エネルギーモード（レベル１）」、「省エネルギーモード（レベル２）」、「省エネルギーモード（レベル３）」、「省エネルギーモード（レベル４）」と順番に切り替わるようになっている。また、通常モードのときからエコボタン（エコボタン９１Ｚ又はエコボタン９２Ｚのいずれか）が５回押された場合、即ち、「省エネルギーモード（レベル４）」でエコボタンが押された場合には、通常モードに戻るようになっている。
【００３１】
例えば、「通常モード」のときに、第１リモートコントローラ８１のエコボタン９１Ｚ又は第２リモートコントローラ８２のエコボタン９２Ｚが押された場合、その押されたリモートコントローラ８０から切替信号がコントローラ２２に送信される。この送信に応じて、コントローラ２２では、メモリ２２Ｂに記憶されたモード設定情報を、「通常モードを示すモード情報」から「省エネルギーモード（レベル１）を示すモード情報」に切り替える。同様に、「省エネルギーモード（レベル１）」のときに、第１リモートコントローラ８１のエコボタン９１Ｚ又は第２リモートコントローラ８２のエコボタン９２Ｚが押された場合、その押されたリモートコントローラ８０から切替信号がコントローラ２２に送信される。この送信に応じて、コントローラ２２では、メモリ２２Ｂに記憶されたモード設定情報を、「省エネルギーモード（レベル１）を示すモード情報」から「省エネルギーモード（レベル２）を示すモード情報」に切り替える。更に、「省エネルギーモード（レベル２）」のときにエコボタンが押されると、メモリ２２Ｂのモード設定情報は、「省エネルギーモード（レベル３）を示すモード情報」に更新され、「省エネルギーモード（レベル３）」のときにエコボタンが押されると、メモリ２２Ｂのモード設定情報は、「省エネルギーモード（レベル４）を示すモード情報」に更新される。このように、エコボタン９１Ｚ又はエコボタン９２Ｚが押される毎に、コントローラ２２に設定されたモード情報が更新される。そして、「省エネルギーモード（レベル４）」のときに、第１リモートコントローラ８１のエコボタン９１Ｚ又は第２リモートコントローラ８２のエコボタン９２Ｚが押され、切替信号がコントローラ２２に送信された場合には、コントローラ２２では、メモリ２２Ｂに記憶されたモード設定情報を、「省エネルギーモード（レベル４）を示すモード情報」から「通常モードを示すモード情報」に切り替える。
【００３２】
（省エネルギー制御）
次に、省エネルギー制御について説明する。
本構成では、上述した省エネルギーレベル切替制御によって、コントローラ２２による運転モード（給湯モード）を、「通常モード」、「省エネルギーモード（レベル１）」、「省エネルギーモード（レベル２）」、「省エネルギーモード（レベル３）」、「省エネルギーモード（レベル４）」の５段階に切り替えることができるようになっている。そして、各モードでは、給湯装置１での給湯能力が、モード毎に設定された号数となるように制御される。
【００３３】
号数とは、水温よりも温度が２５℃大きい水（水温＋２５℃の水）が１分間に出る量（リットル）を示す値であり、給湯動作の能力を示す指標である。そして、給湯装置１では、出湯量をＸ（Ｌ／分）、設定される号数をＹ、設定温度（給湯温度）をＴａ（℃）、水温をＴｗ（℃）とした場合、出湯口１８から排出される湯量が以下の式で定まる出湯量Ｘ（Ｌ／分）以下に収まるように通水量制御弁３３を制御する。
Ｘ＝Ｙ×２５／（Ｔａ−Ｔｗ）
なお、出湯口１８の開度が小さく、通水量制御弁３３を全開にしたときの出湯量がＸを超えないような場合、通水量制御弁３３を絞る制限制御は行わないことになる。
【００３４】
設定温度（給湯温度）Ｔａは、設定されている給湯温度であり、給湯温度表示領域１２０（図３）、給湯温度表示領域１３０（図４）に表示される温度である。水温Ｔｗは、サーミスタ２５（入水温検出部）で検出される入水管１２内の水温である。号数Ｙは、モード毎に定められており、例えば、通常モードでは、号数Ｙ０に定められ、省エネルギーモード（レベル１）では、号数Ｙ１に定められる。更に、省エネルギーモード（レベル２）では、号数Ｙ２に定められ、省エネルギーモード（レベル３）では、号数Ｙ３に定められ、省エネルギーモード（レベル４）では、号数Ｙ４に定められる。これらの関係は、Ｙ０≧Ｙ１≧Ｙ２≧Ｙ３≧Ｙ４であり、少なくともＹ１＞Ｙ４である。なお、以下では、Ｙ０＝Ｙ１であり、Ｙ１＞Ｙ２＞Ｙ３＞Ｙ４である例を代表例として説明する。
【００３５】
本構成では、コントローラ２２が給湯制御部の一例に相当し、通水管を流れる水の量を、第二操作部を用いて入力された省エネルギーレベルに対応する号数と、第一操作部を用いて入力された設定温度Ｔａと、サーミスタ２５（入水温検出部）によって検出された水の温度Ｔｗと、に基づいて定まる基準流量以下に制限するように通水量調節機構での調節状態を制御し、且つ出湯温度を設定温度Ｔａに近づけるようにガスバーナ４での燃焼状態を制御する方法で、エネルギー制限制御を行う。
【００３６】
ここで通常モードについて説明する。コントローラ２２による運転モード（給湯モード）が「通常モード」に設定されている場合、コントローラ２２は、ガスバーナ４を燃焼させて給湯動作を行う期間（即ち、水量センサ３４によって一定値以上の水量が検出されている期間）に、通常モードに対応付けられた号数Ｙ０と、サーミスタ２５での検出温度Ｔｗ（℃）と、設定温度（給湯温度）Ｔａ（℃）とに基づき、出湯量が以下の式で定まるＸ０（Ｌ／分）以下に収まるように通水量制御弁３３を制御する。なお、Ｘ０は、通常モードでの基準流量である。
Ｘ０＝Ｙ０×２５／（Ｔａ−Ｔｗ）
【００３７】
次に、省エネルギーモード（レベル１）に設定されている場合について説明する。コントローラ２２による運転モード（給湯モード）がレベル１の省エネルギーモード（以下、省エネレベル１ともいう）に設定されている場合、コントローラ２２は、ガスバーナ４を燃焼させて給湯動作を行う期間に、省エネレベル１に対応付けられた号数Ｙ１と、サーミスタ２５での検出温度Ｔｗ（℃）と、設定温度（給湯温度）Ｔａ（℃）とに基づいて、出湯量が以下の式で定まるＸ１（Ｌ／分）以下に収まるように通水量制御弁３３を制御する。なお、Ｘ１は、省エネレベル１での基準流量である。
Ｘ１＝Ｙ１×２５／（Ｔａ−Ｔｗ）
【００３８】
なお、この代表例では、例えばＹ０＝Ｙ１であり、通常モードでの設定号数（最大号数）と、省エネレベル１での設定号数は同一となっている。一方、省エネレベル１の設定では、給湯制御部に相当するコントローラ２２によって流量制限制御が行われ、この流量制限制御により、通常モードのときよりもエネルギーを制限している。
【００３９】
本構成では、省エネルギーモードに設定されている期間（即ち、省エネレベル１〜４のいずれかの設定期間）は、出湯口１８からの出湯が停止した状態から出湯状態に切り替わる毎にコントローラ２２によって流量制限制御が行われ、通水管での通水が開始されてから所定条件が成立するまでの給湯初期において当該通水管での通水度合いを所定の流量制限状態とし、所定条件が成立した後に、この流量制限状態を解除するように制御がなされる。
【００４０】
例えば、省エネレベル１の設定では、出湯口１８が開放されて出湯停止状態から出湯状態に切り替わり、水量センサ３４によって通水が検出された場合、コントローラ２２は、ガスバーナ４に燃焼ガスを燃焼させる制御を継続する一方で、サーミスタ２６での検出温度Ｔｗが、設定温度（給湯温度）Ｔａに達するまでは、出湯口１８からの出湯量が上述したＸ１よりも大幅に低くなるように通水量制御弁３３の開度を所定の低開度状態とし、通水管での通水量（流量）を制限する。このような流量制限を行った後、サーミスタ２６での検出温度Ｔｗが設定温度（給湯温度）Ｔａに達した場合には、流量制限状態を解除する。流量制限状態を解除した後は、通常モードと同様の制御を行い、出湯量を上述したＸ１（Ｌ／分）以下で維持するように通水量制御弁３３を制御して流量制限をしながらガスバーナ４の燃焼を制御する。このような省エネレベル１の制御によれば、ユーザが希望する温度（設定温度）に達していない低温の水が通水開始直後に勢いよく排出されてしまうことを効果的に抑えることができる。このような低温の水は、ユーザによって捨てられるなど、有効に使用されない可能性が高く、このような低温の水が勢いよく排出されてしまうと、水エネルギーが有効に利用されずに無駄に消費されてしまう虞があるが、本構成によれば、通水開始直後の流量制限によって、このような無駄な消費を抑えやすくなる。
【００４１】
コントローラ２２による運転モード（給湯モード）がレベル２の省エネルギーモード（以下、省エネレベル２ともいう）に設定されている場合、コントローラ２２は、ガスバーナ４を燃焼させて給湯動作を行う期間に、省エネレベル２に対応付けられた号数Ｙ２と、サーミスタ２５での検出温度Ｔｗ（℃）と、設定温度（給湯温度）Ｔａ（℃）とに基づいて、出湯量が以下の式で定まるＸ２（Ｌ／分）以下に収まるように通水量制御弁３３を制御する。なお、Ｘ２は、省エネレベル２での基準流量である。
Ｘ２＝Ｙ２×２５／（Ｔａ−Ｔｗ）
具体的には、水量センサ３４によって通水が検知されている間は、ガスバーナ４の燃焼を継続し、このような燃焼制御中は、出湯量をＸ２（Ｌ／分）以下で維持するように通水量制御弁３３を制御する。
【００４２】
コントローラ２２は、省エネレベル２に設定されている場合も、上述した流量制限制御を行うようになっている。具体的には、出湯口１８が開放されて出湯停止状態から出湯状態に切り替わり、水量センサ３４によって通水が検出された場合、ガスバーナ４による燃焼を継続する一方で、サーミスタ２６での検出温度Ｔｗが、設定温度（給湯温度）Ｔａに達するまでは、出湯量が上述したＸ２よりも大幅に低くなるように通水量制御弁３３の開度を所定の低開度状態とし、通水管での通水量（流量）を制限する。
【００４３】
コントローラ２２による運転モード（給湯モード）がレベル３の省エネルギーモード（以下、省エネレベル３ともいう）に設定されている場合、コントローラ２２は、ガスバーナ４を燃焼させて給湯動作を行う期間に、省エネレベル３に対応付けられた号数Ｙ３と、サーミスタ２５での検出温度Ｔｗ（℃）と、設定温度（給湯温度）Ｔａ（℃）とに基づいて、出湯量が以下の式で定まるＸ３（Ｌ／分）以下に収まるように通水量制御弁３３を制御する。なお、Ｘ３は、省エネレベル３での基準流量である。
Ｘ３＝Ｙ３×２５／（Ｔａ−Ｔｗ）
具体的には、水量センサ３４によって通水が検知されている間は、ガスバーナ４の燃焼を継続し、このような燃焼制御中は、出湯量をＸ３（Ｌ／分）以下で維持するように通水量制御弁３３を制御する。
【００４４】
コントローラ２２は、省エネレベル３に設定されている場合も、上述した流量制限制御を行うようになっている。具体的には、出湯口１８が開放されて出湯停止状態から出湯状態に切り替わり、水量センサ３４によって通水が検出された場合、ガスバーナ４による燃焼を継続する一方で、サーミスタ２６での検出温度Ｔｗが、設定温度（給湯温度）Ｔａに達するまでは、出湯量が上述したＸ２よりも大幅に低くなるように通水量制御弁３３の開度を所定の低開度状態とし、通水管での通水量（流量）を制限する。
【００４５】
コントローラ２２による運転モード（給湯モード）がレベル４の省エネルギーモード（以下、省エネレベル４ともいう）に設定されている場合、コントローラ２２は、ガスバーナ４を燃焼させて給湯動作を行う期間に、省エネレベル４に対応付けられた号数Ｙ４と、サーミスタ２５での検出温度Ｔｗ（℃）と、設定温度（給湯温度）Ｔａ（℃）とに基づいて、出湯量が以下の式で定まるＸ４（Ｌ／分）以下に収まるように通水量制御弁３３を制御する。なお、Ｘ４は、省エネレベル４での基準流量である。
Ｘ４＝Ｙ４×２５／（Ｔａ−Ｔｗ）
具体的には、水量センサ３４によって通水が検知されている間は、ガスバーナ４の燃焼を継続し、このような燃焼制御中は、出湯量をＸ４（Ｌ／分）以下で維持するように通水量制御弁３３を制御する。
【００４６】
コントローラ２２は、省エネレベル４に設定されている場合も、上述した流量制限制御を行うようになっている。具体的には、出湯口１８が開放されて出湯停止状態から出湯状態に切り替わり、水量センサ３４によって通水が検出された場合、ガスバーナ４による燃焼を継続する一方で、サーミスタ２６での検出温度Ｔｗが、設定温度（給湯温度）Ｔａに達するまでは、出湯量が上述したＸ３よりも大幅に低くなるように通水量制御弁３３の開度を所定の低開度状態とし、通水管での通水量（流量）を制限する。
【００４７】
本構成では、省エネレベル４の設定がなされている場合、号数は、通常モードや省エネレベル１のときの号数よりも低くなるため、出湯量は抑えられやすくなる。但し、出湯口１８の開度（例えば蛇口の開度）が比較的小さく、この開度のときに出湯口１８から排出可能となる最大出湯量がＸ４よりも小さいような状況（即ち、通水量制御弁３３を全開にしても出湯量がＸ４に達しないような状況）では、通水量制御弁３３によって通水量が絞られないことになるため、使用者に流量制限による違和感を与えにくくなる。或いは、入水温が高く、サーミスタ２６での検出温度Ｔｗが高い場合、号数Ｙ４が小さくても、出湯口１８から排出可能となる最大出湯量Ｘ４が大きくなるため、通水量制御弁３３によって通水量が絞られにくくなる。この場合も、使用者に流量制限による違和感を与えにくくなる。なお、このような効果は、省エネレベル２、３のときにも生じる。
【００４８】
（シンボルマーク表示制御）
また、各モードでは、各表示部８１Ｂ，８２Ｂにおけるレベル表示領域１２６，１３６での表示が、設定されたモードに対応する表示となるように制御している。本構成では、コントローラ２２、制御部８１Ａ、８２Ａが表示制御部の一例に相当し、省エネルギーモードに設定されている場合には、レベル表示領域１２６，１３６での表示を、設定された省エネルギーレベル（第二操作部を用いて入力された省エネルギーレベル）に対応する表示とするように表示部８１Ｂ，８２Ｂを制御している。また、表示部８１Ｂ，８２Ｂは、表示装置の一例に相当し、複数段階（省エネルギーモードで切り替え可能な段階数）に関連する個数（例えば４個）の個別表示領域によってレベル表示領域１２６，１３６が構成されている。なお、レベル表示領域１２６，１３６は、互いに同様の領域として構成されているため、以下では、レベル表示領域１２６を代表的に説明する。このレベル表示領域１２６の説明は、レベル表示領域１３６にも適用される説明である。
【００４９】
図５（Ａ）は、省エネレベル１のときの表示部９１Ｂでの表示を示すものであり、図６（Ａ）は、そのときのレベル表示領域１２６の表示を拡大して示すものである。図５（Ｂ）は、省エネレベル２のときの表示部９１Ｂでの表示を示すものであり、図６（Ｂ）は、そのときのレベル表示領域１２６の表示を拡大して示すものである。図５（Ｃ）は、省エネレベル３のときの表示部９１Ｂでの表示を示すものであり、図６（Ｃ）は、そのときのレベル表示領域１２６の表示を拡大して示すものである。図５（Ｄ）は、省エネレベル４のときの表示部９１Ｂでの表示を示すものであり、図６（Ｄ）は、そのときのレベル表示領域１２６の表示を拡大して示すものである。図５（Ｅ）は、通常モードのときの表示部９１Ｂでの表示を示すものである。
【００５０】
図６のように、レベル表示領域１２６は、全体として一個のシンボルマーク１５０を表示する領域を有し、複数の個別表示領域１２６Ａ，１２６Ｂ，１２６Ｃ，１２６Ｄの各々は、シンボルマーク１５０を区分けした各部分の表示領域とされている。これら複数の個別表示領域１２６Ａ，１２６Ｂ，１２６Ｃ，１２６Ｄは、表示部８２Ｂ（図５）において所定の基準点Ｐ１の周りに周方向に並んで配置され、且つ基準点Ｐ１を中心として放射状に配置される構成となっている。個別表示領域１２６Ａ，１２６Ｂ，１２６Ｃ，１２６Ｄの各々で表示される図形の基準点側の形状は、基準点Ｐ１に近づくにつれて幅が狭くなる先細り形状となっている。
【００５１】
表示部８１Ｂに構成されるレベル表示領域１２６は、複数の個別表示領域１２６Ａ，１２６Ｂ，１２６Ｃ，１２６Ｄでそれぞれ表示される図形の集合によって所定対象（四つ葉のクローバ）の絵柄が表される領域となっている。そして、第１リモートコントローラ８１及び第２リモートコントローラ８２のエコボタン９１Ｚ，９２Ｚ（第二操作部）には、所定対象（四つ葉のクローバ）と共通の対象を表した共通図形１６１，１６２がそれぞれ付されている。具体的には、最も省エネルギー度合いが大きい省エネレベル４のときにレベル表示領域１２６，１３６に表される絵柄と同一の絵柄がエコボタン９１Ｚ，９２Ｚの表面部に描かれている。
【００５２】
図６のように、上述した表示制御部は、レベル表示領域１２６でのシンボルマーク１５０の表示状態を、複数段階の各省エネルギーレベル（省エネレベル１〜４）に対応する状態に切り替える制御を行う。具体的には、個別表示領域１２６Ａ，１２６Ｂ，１２６Ｃ，１２６Ｄのそれぞれにおいて、シンボルマーク１５０の一部分を構成する図形（四つ葉のクローバの各葉の図形）の表示状態を制御するようになっている。例えば、省エネレベル１のときには、図６（Ａ）のように個別表示領域１２６Ａのみにおいて葉の図形１５２Ａを表示し、他の個別表示領域１２６Ｂ〜１２６Ｄでは、葉の図形１５２Ｂ〜１５２Ｄを表示せずに外形のみを表示している。また、省エネレベル２のときには、図６（Ｂ）のように個別表示領域１２６Ａ，１２６Ｂにおいて葉の図形１５２Ａ，１５２Ｂを表示し、他の個別表示領域１２６Ｃ，１２６Ｄでは、葉の図形１５２Ｃ，１５２Ｄを表示せずに外形のみを表示している。更に、省エネレベル３のときには、図６（Ｃ）のように個別表示領域１２６Ａ，１２６Ｂ，１２６Ｃにおいて葉の図形１５２Ａ，１５２Ｂ，１５２Ｃを表示し、個別表示領域１２６Ｄでは、葉の図形１５２Ｄを表示せずに外形のみを表示している。そして、省エネレベル４のときには、図６（Ｄ）のように全ての個別表示領域１２６Ａ，１２６Ｂ，１２６Ｃ，１２６Ｄにおいて葉の図形１５２Ａ，１５２Ｂ，１５２Ｃ，１５２Ｄを表示している。
【００５３】
また、図６（Ａ）〜図６（Ｄ）で示すように、表示制御部は、少なくとも給湯制御部によってエネルギー制限制御がなされている間（即ち、省エネルギーモードの期間）は、いずれの省エネルギーレベルに対応する表示状態にする場合でも、レベル表示領域１２６においてシンボルマーク１５０全体の外形を表す外形図形１５１を表示する制御を行っている。
【００５４】
以上のように、本構成では、第二操作部（エコボタン）において複数段階の省エネルギーレベルのうちのいずれかのレベルを設定する操作が行われた場合に、上述した給湯制御部によって省エネルギーモード（通常モードのときよりもエネルギーを制限してエネルギー制限制御を行うモード）に切り替えられ、この省エネルギーモードでは、出湯開始毎に上述した流量制限制御が行われるようになっている。そして、表示制御部は、流量制限制御を行う省エネルギーモードの期間は図６のような表示制御を行い、シンボルマークの少なくとも一部の表示を行うと共に、レベルに対応した図形の表示を行う。
【００５５】
一方、第二操作部（エコボタン）において所定の指定操作が行われた場合（例えば、省エネレベル４のときにエコボタンが押された場合）に、予め定められた最大号数Ｙ０の給湯能力で給湯動作を行う通常モードに切り替わり、この通常モードの期間は、流量制限制御を行わないようになっている。そして、通常モードの期間は、シンボルマーク１５０の表示を行わないようにしている。具体的には、図５（Ｅ）のように表示がなされ、表示部８１Ｂに構成されたレベル表示領域１２６の全体が消灯状態となる。
【００５６】
＜他の実施例＞
上述した実施例には、様々な変更を加えてもよく、様々な構成を付加してもよい。以下、他の実施例を簡単に説明する。
【００５７】
上述した実施例では、レベル表示領域が２つのリモートコントローラ８１，８２のそれぞれに設けられていたが、いずれか一方のみに設けられていてもよい。
【００５８】
上述した実施例では、給湯装置１として、給湯側回路２と風呂側回路３を備えた風呂・給湯システムを例示したが、風呂側回路３を有さない構成であってもよい。
【符号の説明】
【００５９】
１…給湯装置
４…ガスバーナ（バーナ）
６…熱交換器
１０…出湯管（通水管）
１２…入水管（通水管）
２０…配管（通水管）
２２…コントローラ（通水量調節機構、給湯制御部、表示制御部）
２５…サーミスタ（入水温検出部）
３３…通水量制御弁（通水量調節機構）
３４…水量センサ（通水量検出部）
８０…リモートコントローラ
８１Ａ，８２Ａ…制御部（表示制御部）
８１Ｂ，８２Ｂ…表示部（表示装置）
９１Ｕ，９２Ｕ…メニューボタン（第一操作部）
９１Ｗ，９２Ｗ…確定ボタン（第一操作部）
９１Ｘ，９２Ｘ…増大ボタン（第一操作部）
９１Ｙ，９２Ｙ…減少ボタン（第一操作部）
９１Ｚ，９２Ｚ…エコボタン（第二操作部）
１２６，１３６…レベル表示領域
１２６Ａ，１２６Ｂ，１２６Ｃ，１２６Ｄ…個別表示領域
１５０…シンボルマーク
１５１…外形図形
１６１，１６２…共通図形
【図１】
0006466256.tif 000002
【図２】
0006466256.tif 000003
【図３】
0006466256.tif 000004
【図４】
0006466256.tif 000005
【図５】
0006466256.tif 000006
【図６】
0006466256.tif 000007